(57)【特許請求の範囲】
【請求項１】
上面が開口し、内部に遊戯媒体を収容する遊戯媒体収容箱において、
前記遊戯媒体収容箱は、裏面の４つの隅のうち対角線上に対向する２つの隅に裏面から突出したリブが形成され、かつ、残りの２つの隅に２枚の前記リブが並列に配置されることによって溝部が形成され、さらに、裏面の短手方向の縁部中央に前記リブまたは前記溝部が嵌り込むための切欠部が設けられ、
一方の前記遊戯媒体収容箱を他方の前記遊戯媒体収容箱に対して斜めにした状態で各々の裏面同士が接面するように重ね合わせるとき、一方の前記リブまたは前記溝部が他方の前記切欠部に嵌り込むことにより、重ね合わされた２つの前記遊戯媒体収容箱の位置決めがなされることを特徴とする遊戯媒体収容箱。
【請求項２】
前記遊戯媒体収容箱の裏面には、長手方向の縁部に少なくとも２つの前記切欠部が形成され、
長手方向の縁部に設けられた２つの前記切欠部は、短手方向の前記リブから前記溝部までの間隔と同じ間隔となるように形成され、
２つの前記遊戯媒体収容箱を伏せた状態で一方の長手方向が互いに接するように並べて載置したとき、一方の前記遊戯媒体収容箱の互いに接していない長手方向の縁部に形成された前記切欠部から他方の前記遊戯媒体収容箱の互いに接していない長手方向の縁部に形成された前記切欠部までの間隔が、前記遊戯媒体収容箱の長手方向の前記リブから前記溝部までの間隔と同じ間隔となるように形成されたことを特徴とする請求項１に記載の遊戯媒体収容箱。
【発明の詳細な説明】
【技術分野】
【０００１】
本発明は、パチンコ遊技場等で使用する遊戯媒体収容箱に関する。
【背景技術】
【０００２】
顧客が入賞することによりパチンコ機から放出された出球は、遊戯媒体収容箱に収容され、顧客の足元近傍のフロアに載置される。さらに続けてパチンコ機から出球が放出されると、出球は別の遊戯媒体収容箱に収容され既にフロアに載置されている遊戯媒体収容箱に重ねられたり横に並べて載置される。出球を収容した遊戯媒体収容箱は、高く積み重ねられたりフロア一面に並べて載置されることにより、パチンコ遊技場内の他の顧客やパチンコ遊技場の外にいる通行人の目に留まりやすくなる。
【０００３】
顧客は、フロアに出球を収容している遊戯媒体収容箱が載置されているか否かによってパチンコ機の出球の善し悪しを判断し、実際に遊戯するか否かを決定することが多い。そこでパチンコ遊戯店は、入賞率が高いことを顧客に印象付けるため遊戯媒体収容箱を高く積み上げたり、フロアの目立つ位置に遊戯媒体収容箱を載置していた。また、顧客の注意を引くために、複数の遊戯媒体収容箱は、不安定な状態であってもピラミッド状に積み上げたり、複数の遊戯媒体収容箱の方向を互い違いにずらすなどして積み重ねられていた。そこで、例えば、特許文献１に示されるように、外観は従来の遊戯媒体収容箱と変わらない程度に遊戯媒体収容箱の裏面が上げ底にされた構成が知られている。この構成によれば、フロアに出球が収容された遊戯媒体収容箱が積み重ねられるに従って、裏面が上げ底にされた分だけ従来の遊戯媒体収容箱が積み重ねられたときより高さが高くなっていくため顧客の目に留まりやすくなる。
【０００４】
しかしながら、特許文献１に示される技術においては、複数の出球を収容した遊戯媒体収容箱が積み重ねられることによって、はじめて従来の遊戯媒体収容箱が積み重ねられたときより高さが高くなるものであり、出球を収容した遊戯媒体収容箱が１箱しかない場合は従来の遊戯媒体収容箱と高さが変わらなかった。そこで、出球を収容している遊戯媒体収容箱が１箱しかない場合であっても、顧客の目に留まりやすくするために、出球の入っていない空の遊戯媒体収容箱が出球を収容している遊戯媒体収容箱の台として用いられている。このとき、空の遊戯媒体収容箱は、裏面を上に向け開口している上面をフロアに接するように伏せた状態でフロアに載置され、その上に出球を収容している遊戯媒体収容箱が積み重ねられる。
【０００５】
これにより、出球を収容している遊戯媒体収容箱が１箱しかない場合であっても、遊戯媒体収容箱は、２箱分積み重ねられた高さになるため顧客の目に留まりやすくなる。また、顧客の注意を引くために、伏せた状態でフロアに載置された遊戯媒体収容箱に対して、方向をずらして出球を収容している遊戯媒体収容箱が重ねられることも行われていた。しかし、遊戯媒体収容箱の裏面は平坦であるため、遊戯者の足や荷物がぶつかることにより、伏せた状態でフロアに載置された遊戯媒体収容箱の上に重ねられた出球を収容している遊戯媒体収容箱がずれてフロアに落下し、収容された出球がフロアに散乱することが問題となっていた。
【特許文献１】登録実用新案第３０７５９７６号
【発明の開示】
【発明が解決しようとする課題】
【０００６】
本発明は、上記従来例の問題を解決するためになされたものであり、一種類の収納箱だけを用いて伏せた状態でフロアに載置された遊戯媒体収容箱に対して、方向をずらして出球を収容している遊戯媒体収容箱が積み重ねられたときであっても、遊戯者の足や荷物が、伏せた状態でフロアに載置された遊戯媒体収容箱や、その上に重ねられている出球を収容した遊戯媒体収容箱にぶつかっても、出球を収容した遊戯媒体収容箱が、伏せた状態でフロアに載置された遊戯媒体収容箱からずり落ちない遊戯媒体収容箱を提供することを目的とする。
【課題を解決するための手段】
【０００７】
上記目的を達成するために請求項１の発明は、上面が開口し、内部に遊戯媒体を収容する遊戯媒体収容箱において、遊戯媒体収容箱は、裏面の４つの隅のうち対角線上に対向する２つの隅に裏面から突出したリブが形成され、かつ、残りの２つの隅に２枚のリブが並列に配置されることによって溝部が形成され、さらに、裏面の短手方向の縁部中央にリブまたは溝部が嵌り込むための切欠部が設けられ、一方の遊戯媒体収容箱を他方の遊戯媒体収容箱に対して斜めにした状態で各々の裏面同士が接面するように重ね合わせるとき、一方のリブまたは溝部が他方の切欠部に嵌り込むことにより、重ね合わされた２つの遊戯媒体収容箱の位置決めがなされるようにしたものである。
【０００８】
また、請求項２の発明は、請求項１に記載の遊戯媒体収容箱において、裏面には長手方向の縁部に少なくとも２つの切欠部が形成され、長手方向の縁部に設けられた２つの切欠部は、短手方向のリブから溝部までの間隔と同じ間隔となるように形成され、２つの遊戯媒体収容箱を伏せた状態で一方の長手方向が互いに接するように並べて載置したとき、一方の遊戯媒体収容箱の互いに接していない長手方向の縁部に形成された切欠部から他方の遊戯媒体収容箱の互いに接していない長手方向の縁部に形成された切欠部までの間隔が、遊戯媒体収容箱の長手方向のリブから溝部までの間隔と同じ間隔となるように形成されたものである。
【発明の効果】
【００１１】
請求項１の発明によれば、一種類の２つの遊戯媒体収容箱のうち、一方の遊戯媒体収容箱を斜めに方向を変えて裏面同士が接面するように重ね合わせることにより、一方の遊戯媒体収容箱のリブまたは溝部が他方の遊戯媒体収容箱の短手方向の縁部中央に形成された切欠部に嵌り込むことにより、一方の遊戯媒体収容箱のリブまたは溝部が他方の遊戯媒体収容箱に形成された切欠部に当接するため、上に重ねられた遊戯媒体収容箱が、伏せた状態でフロアに載置された遊戯媒体収容箱からずり落ちることがなくなる。また、伏せた状態でフロアに載置された遊戯媒体収容箱と上に重ねられた遊戯媒体収容箱との方向が異なるため、顧客の注目を引くことができる。
【００１２】
請求項２の発明によれば、２つの遊戯媒体収容箱を伏せた状態で一方の長手方向が接するように並べて載置し、この２つの遊戯媒体収容箱に対して９０度回転させた遊戯媒体収容箱の裏面同士が接面するように重ね合わせることにより、上に重ねられた遊戯媒体収容箱のリブ及び溝部が、伏せた状態でフロアに並べて載置された２つの遊戯媒体収容箱の長手方向の縁部に形成された切欠部に嵌め込まれる。これにより、上に重ねられた遊戯媒体収容箱のリブ及び溝部が、伏せられた２つの遊戯媒体収容箱の切欠部に当接することにより上に重ねられた遊戯媒体収容箱が、伏せられた２つの遊戯媒体収容箱からずり落ちることがなくなる。また、伏せられた２つの遊戯媒体収容箱に対して、方向を９０度回転させて遊戯媒体収容箱を重ねることにより、伏せられた２つの遊戯媒体収容箱と上に重ねられた遊戯媒体収容箱との方向が異なるため、顧客の注目を引くことができる。
【発明を実施するための最良の形態】
【００１５】
以下、本発明の実施形態に係る遊戯媒体収容箱について、図面を参照して説明する。図１は、本発明の実施形態に係る遊戯媒体収容箱の構成を示す。遊戯媒体収容箱１は、パチンコ機からの出球を収容するために上面２が開口しており、上面２の対向する辺に遊戯者が遊戯媒体収容箱１を持ち運ぶための取手３を備える。遊戯媒体収容箱１の裏面４には、４つの隅のうち対角線上に対向する２つの隅に裏面から突出したリブ５と、残りの２つの隅にリブ５と同型のリブが２枚平行に配置された溝部６が形成されている。さらに、裏面４の短手方向の辺の縁部の中央近傍には、リブ５または溝部６が嵌まり込む切欠部７が形成され、長手方向の辺の縁部には切欠部７と同型の切欠部８が少なくとも２つ形成されている。
【００１６】
遊戯媒体収容箱１は、透明プラスチック材や透明樹脂などにより略直方体に形成されてあり、取手３は、上面２の対向する短い辺の外側に形成されている。また、上面２の縁は、遊戯媒体収容箱１に一定の強度を持たせるため遊戯媒体収容箱１の外側へ張り出すように形成されている。ここで、リブ５と溝部６は、長手方向及び短手方向に対して斜めになるように形成されている。リブ５と同型のリブが２枚平行に配置されている溝部６の間隔は、リブ５が嵌まり込むことができる間隔をあけて配置されている。切欠部７及び切欠部８は、リブ５または溝部６が嵌まり込める大きさに形成されている。
【００１７】
図２は、２つの同じ遊戯媒体収容箱１の裏面４同士を嵌合させる第１の状態を示す。出球を収容しておらず、上面２を下にした伏せた状態でパチンコ遊技場のフロアに載置された下側の遊戯媒体収容箱１を遊戯媒体収容箱１ｂとし、遊戯媒体収容箱１ｂの上に重ねられる上側の遊戯媒体収容箱１を遊戯媒体収容箱１ａとする。通常、遊戯媒体収容箱１ａには出球（図示しない）が収容されている。遊戯媒体収容箱１ａは、遊戯媒体収容箱１ａの裏面４と遊戯媒体収容箱１ｂの裏面４が平行であり、かつ、遊戯媒体収容箱１ｂと同方向に向けられた状態で遊戯媒体収容箱１ｂに重ねられる。これにより、遊戯媒体収容箱１ａの裏面４に形成されたリブ５は、遊戯媒体収容箱１ｂの裏面４に形成された溝部６に嵌まり込み、遊戯媒体収容箱１ｂの裏面４に形成されたリブ５は、遊戯媒体収容箱１ａの裏面４に形成された溝部６に嵌まり込む。これにより、遊戯媒体収容箱１ａ及び遊戯媒体収容箱１ｂは位置決めされる。さらに、リブ５と溝部６は、長手方向及び短手方向に対して斜めに形成されているため、遊戯媒体収容箱１ａが遊戯媒体収容箱１ｂに対してずれようとするとき、遊戯媒体収容箱１ａのリブ５は、遊戯媒体収容箱１ｂの溝部４に当接するため、長手方向及び短手方向にずれることが防止される。
【００１８】
図３は、２つの同じ遊戯媒体収容箱１の裏面４同士を嵌合させる第２の状態を示す。遊戯媒体収容箱１ａは、遊戯媒体収容箱１ａの裏面４と遊戯媒体収容箱１ｂの裏面４は平行であり、かつ、遊戯媒体収容箱１ａの方向は遊戯媒体収容箱１ｂに対して斜めにされた状態で遊戯媒体収容箱１ｂに重ねられる。このとき、切欠部７は、遊戯媒体収容箱１ａのリブ５が遊戯媒体収容箱１ｂの切欠部７に嵌まり込み、遊戯媒体収容箱１ｂのリブ５が遊戯媒体収容箱１ａの切欠部７に嵌まり込むように形成されている。なお、遊戯媒体収容箱１ａの方向は、遊戯媒体収容箱１ｂに対して遊戯媒体収容箱１ａの溝部６を遊戯媒体収容箱１ｂの切欠部７に嵌まり込ませ、遊戯媒体収容箱１ｂの溝部６を遊戯媒体収容箱１ａの切欠部７に嵌まり込ませるように傾けても構わない。
【００１９】
図４は、２つの同じ遊戯媒体収容箱１の裏面４同士を嵌合させた第２の状態を示す。遊戯媒体収容箱１ａのリブ５は遊戯媒体収容箱１ｂの切欠部７に嵌まり込み、遊戯媒体収容箱１ｂのリブ５は遊戯媒体収容箱１ａの切欠部７に嵌まり込んでいる。遊戯媒体収容箱１ａ及び遊戯媒体収容箱１ｂのリブ５は、嵌まり込んだ遊戯媒体収容箱１ｂ及び遊戯媒体収容箱１ａの切欠部７に当接する。これにより、遊戯媒体収容箱１ａ及び遊戯媒体収容箱１ｂは位置決めされるため、遊戯媒体収容箱１ａが遊戯媒体収容箱１ｂからずり落ちることが防止される。また、遊戯媒体収容箱１ａと遊戯媒体収容箱１ｂは、方向が異なった状態で重ねられているため顧客の注目を引くことができる。
【００２０】
図５は、３つの同じ遊戯媒体収容箱１を使用し裏面４同士を嵌合させた状態を示す。２つの遊戯媒体収容箱１ｂは、互いに上面２の長手方向の辺が当接するように並べてフロアに載置されている。ここで、一方の遊戯媒体収容箱１ｂを遊戯媒体収容箱１ｂ−１とし、他方の遊戯媒体収容箱１ｂを遊戯媒体収容箱１ｂ−２とする。遊戯媒体収容箱１ｂ−１において、遊戯媒体収容箱１ｂ−２と当接していない側の長手方向の辺に形成された切欠部８を切欠部８Ａとする。また、遊戯媒体収容箱１ｂ−２において、遊戯媒体収容箱１ｂ−１と当接していない側の長手方向の辺に形成された切欠部８を切欠部８Ｂとする。さらに、切欠部８Ａの一方を切欠部８Ａ−１とし、他方を切欠部８Ａ−２とする。また、切欠部８Ｂの一方を切欠部８Ｂ−１とし、他方を切欠部８Ｂ−２とする。遊戯媒体収容箱１ａにおいて、２つのリブ５の一方をリブ５Ａとし他方をリブ５Ｂとし、２つの溝部６の一方を溝部６Ａとし、他方を溝部６Ｂとする。
【００２１】
遊戯媒体収容箱１ａは、遊戯媒体収容箱１ｂ−１及び遊戯媒体収容箱１ｂ−２に対して９０度回転させて遊戯媒体収容箱１ａの裏面４が遊戯媒体収容箱１ｂ−１及び遊戯媒体収容箱１ｂ−２の裏面４に接面するように遊戯媒体収容箱１ｂ−１及び遊戯媒体収容箱１ｂ−２に重ねられる。このとき、溝部６Ａは切欠部８Ａ−１に嵌合し、リブ５Ａは切欠部８Ａ−２に嵌合し、溝部６Ｂは切欠部８Ｂ−２に嵌合し、リブ５Ｂは切欠部８Ｂ−１に嵌合するように形成されている。遊戯媒体収容箱１ａは、遊戯媒体収容箱１ｂ−１及び遊戯媒体収容箱１ｂ−２を連結するかすがいとして作用する。溝部６Ａ、リブ５Ａ、溝部６Ｂ及びリブ５Ｂは、それぞれ切欠部８Ａ−１、切欠部８Ａ−２、８Ｂ−２及び８Ｂ−１に当接する。これにより、遊戯媒体収容箱１ａ、遊戯媒体収容箱１ｂ−１及び遊戯媒体収容箱１ｂ−２は位置決めされ、長手方向及び短手方向にずれることが防止される。また、遊戯媒体収容箱１ａは、遊戯媒体収容箱１ｂ−１及び遊戯媒体収容箱１ｂ−２と方向が異なった状態で重ねられているため顧客の注目を引くことができる。
【００２８】
以上のように本発明の実施形態の遊戯媒体収容箱１においては、一種類の遊戯媒体収容箱１を複数重ね合わせたとき、一方のリブ５が他方の溝部６に嵌合する。これにより、一方のリブ５が他方の溝部６に当接するため遊戯媒体収容箱１ａ及び遊戯媒体収容箱１ｂは位置決めされ、長手方向及び短手方向にずれることが防止される。また、一方のリブ５又は溝部６が他方の切欠部７に嵌合する。これにより、一方のリブ５又は溝部６が他方の切欠部７に当接するため遊戯媒体収容箱１ａ及び遊戯媒体収容箱１ｂは位置決めされ、遊戯媒体収容箱１ａが遊戯媒体収容箱１ｂに対してずれることが防止される。さらに、遊戯媒体収容箱１ａのリブ５及び溝部６を伏せた２つの遊戯媒体収容箱１ｂ−１及び遊戯媒体収容箱１ｂ−２の切欠部８Ａ及び切欠部８Ｂに嵌合する。これにより、遊戯媒体収容箱１ａ、遊戯媒体収容箱１ｂ−１及び遊戯媒体収容箱１ｂ−２は位置決めされ、長手方向及び短手方向にずれることが防止される。また、遊戯媒体収容箱１ａは、遊戯媒体収容箱１ｂ−１及び遊戯媒体収容箱１ｂ−２と方向が異なった状態で重ねられているため顧客の注目を引くことができる。
【００３１】
なお、本発明は、上記各種実施形態の構成に限られず、発明の趣旨を変更しない範囲で種々の変形が可能である。例えば、遊戯媒体収容箱１は、長手方向の辺の縁部に２つの切欠部８を備えた構成でなく、４つの切欠部８を備えた構成であっても構わない。また、遊戯媒体収容箱１は、パチンコ機の出球を収容するだけでなく、スロットマシンのコインを収容してもよい。
【図面の簡単な説明】
【００３２】
【図１】本発明の実施形態に係る遊戯媒体収容箱の構成を示す斜視図。
【図２】同遊戯媒体収容箱を２つ用いて裏面同士を嵌合させる状態を示す斜視図。
【図３】同遊戯媒体収容箱を２つ用いて裏面同士を嵌合させる状態を示す斜視図。
【図４】同遊戯媒体収容箱を２つ用いて裏面同士を嵌合させた状態を示す斜視図。
【図５】同遊戯媒体収容箱を３つ用いて裏面同士を嵌合させる状態を示す斜視図。
【符号の説明】
【００３３】
１  遊戯媒体収容箱
２  上面
４  裏面
５  リブ
６  溝部
７  切欠部
８  切欠部
【図１】
0004739873.tif 000002
【図２】
0004739873.tif 000003
【図３】
0004739873.tif 000004
【図４】
0004739873.tif 000005
【図５】
0004739873.tif 000006